(57)【特許請求の範囲】
【請求項１】
インダクタに間歇的に電流を流すスイッチング素子と、前記インダクタと出力端子との間に接続された整流素子と、前記スイッチング素子の駆動信号を生成する駆動回路と、出力電流に比例した電圧がフィードバックされその電圧に応じたパルス幅を有する信号を出力するＰＦＭコンパレータとを備えた直流電源装置であって、所定の周波数の発振信号のパルス幅を外部より供給される電流制御信号に応じて制御可能なデューティ制御回路を備え、前記ＰＦＭコンパレータの出力が所定のレベルの期間だけ前記デューティ制御回路から出力されるパルス信号を前記駆動回路に供給して前記スイッチング素子の駆動信号を生成することを特徴とする直流電源装置。
【請求項２】
インダクタに間歇的に電流を流すスイッチング素子と、前記インダクタと出力端子との間に接続された整流素子と、前記スイッチング素子の駆動信号を生成する駆動回路と、出力電流に比例した電圧がフィードバックされその電圧に応じたパルス幅を有する信号を出力するＰＦＭコンパレータとを備え、前記出力端子に接続されたＬＥＤユニットに駆動電流を流すＬＥＤ駆動用電源装置であって、
前記ＬＥＤユニットを流れた電流を引き込む可変電流源と、
所定の周波数の発振信号のパルス幅を電流制御信号に応じて制御可能なデューティ制御回路と、を備え、
前記可変電流源は前記電流制御信号に応じた電流を流すように構成され、
前記デューティ制御回路は、前記電流制御信号が出力電流を少なく流すことを要求する場合には出力電流を多く流すことを要求する場合に比べて出力のパルス幅を狭くするように構成され、
前記ＰＦＭコンパレータの出力が所定のレベルの期間だけ前記デューティ制御回路から出力されるパルス信号を前記駆動回路に供給して前記スイッチング素子の駆動信号を生成することを特徴とするＬＥＤ駆動用電源装置。
【請求項３】
前記デューティ制御回路は、前記電流制御信号に応じた電流を流すように構成された第２可変電流源と、該第２可変電流源と直列に接続された容量素子と、前記第２可変電流源と前記容量素子との結合ノードに接続されたディスチャージ用のスイッチと、前記結合ノードの電位と所定の参照電圧とを比較するコンパレータと、を備え、
前記ディスチャージ用のスイッチは前記発振信号によってオン、オフ制御され、
前記第２可変電流源は、前記電流制御信号が出力電流を少なく流すことを要求する場合には出力電流を多く流すことを要求する場合に比べて流す電流が多くなるように構成されていることを特徴とする請求項２に記載のＬＥＤ駆動用電源装置。
【請求項４】
前記デューティ制御回路は、前記電流制御信号に応じた電流を流すように構成された定電流源と、該定電流源と直列に接続された容量素子と、前記定電流源と前記容量素子との結合ノードに接続されたディスチャージ用のスイッチと、前記電流制御信号に応じた参照電圧を出力する可変電圧手段と、前記結合ノードの電位と前記可変電圧手段から出力される参照電圧とを比較するコンパレータと、を備え、
前記ディスチャージ用のスイッチは前記発振信号によってオン、オフ制御され、
前記可変電圧手段は、前記電流制御信号が出力電流を少なく流すことを要求する場合には出力電流を多く流すことを要求する場合に比べて出力する電圧が低くなるように構成されていることを特徴とする請求項２に記載のＬＥＤ駆動用電源装置。
【請求項５】
前記デューティ制御回路は、前記電流制御信号に応じた電流を流すように構成された定電流源と、該定電流源と直列に接続された可変容量手段と、前記定電流源と前記可変容量手段との結合ノードに接続されたディスチャージ用のスイッチと、前記結合ノードの電位と所定の参照電圧とを比較するコンパレータと、を備え、
前記ディスチャージ用のスイッチは前記発振信号によってオン、オフ制御され、
前記可変容量手段は、前記電流制御信号が出力電流を少なく流すことを要求する場合には出力電流を多く流すことを要求する場合に比べて容量値が小さくなるように構成されていることを特徴とする請求項２に記載のＬＥＤ駆動用電源装置。
【請求項６】
インダクタに間歇的に電流を流すスイッチング素子と、前記スイッチング素子の駆動信号を生成する駆動回路と、出力電流に比例した電圧がフィードバックされその電圧に応じたパルス幅を有する信号を出力するＰＦＭコンパレータとを備えた電源駆動用半導体集積回路であって、
出力電流がフィードバックされる外部端子と、
該外部端子に接続され前記出力電流を引き込む可変電流源と、
所定の周波数の発振信号のパルス幅を電流制御信号に応じて制御可能なデューティ制御回路と、を備え、
前記可変電流源は前記電流制御信号に応じた電流を流すように構成され、
前記デューティ制御回路は、前記電流制御信号が出力電流を少なく流すことを要求する場合には出力電流を多く流すことを要求する場合に比べて出力のパルス幅を狭くするように構成され、
前記ＰＦＭコンパレータの出力が所定のレベルの期間だけ前記デューティ制御回路から出力されるパルス信号を前記駆動回路に供給して前記スイッチング素子の駆動信号を生成することを特徴とする電源駆動用半導体集積回路。
【発明の詳細な説明】
【技術分野】
【０００１】
本発明は、ＬＥＤ駆動用電源電圧を発生する直流電源装置に関し、例えば携帯電話機の液晶モニタのバックライトに使用されるＷＬＥＤ（白色発光ダイオード）の駆動電源電圧を発生するスイッチング電源装置およびこれを構成する電源駆動用半導体集積回路に利用して有効な技術に関する。
【背景技術】
【０００２】
携帯電話機等のモバイル機器においては、表示用の液晶パネルのバックライトにＷＬＥＤが使用されており、ＷＬＥＤの駆動電源電圧を発生する電源装置には、一般に、昇圧型のスイッチングレギュレータからなるＤＣ−ＤＣコンバータが用いられている。かかるＬＥＤ駆動用電源装置においては、ＬＥＤの駆動電流を電圧に変換して制御回路にフィードバックして誤差アンプで基準電圧と比較して電位差に応じたパルス幅を有する駆動パルスを生成して、インダクタ（コイル）に間歇的に電流を流すスイッチング素子を駆動して駆動電流を一定に保つフィードバック制御が行われている。このようなＬＥＤ駆動用電源装置に関する発明として、例えば特許文献１に記載されている発明がある。
【特許文献１】特開２００７−２２０８５５号公報
【発明の開示】
【発明が解決しようとする課題】
【０００３】
モバイル機器においては、液晶パネルのバックライトの明るさを段階的に変えられる機能が要求されることがある。本出願人は、明るさすなわち駆動電流を切替え可能なＬＥＤ駆動用電源装置として、図１１に示すような構成を有するＬＥＤ駆動用電源装置を開発し、検討を行なった。
【０００４】
図１１のＬＥＤ駆動用電源装置は、出力電流がフィードバックされる端子ＦＢＢＬの電圧と参照電圧Ｖref1とを比較して電位差に応じたパルス幅を有する信号を出力するＰＦＭ（パルス周波数変調）コンパレータ１１と、所定の周波数の発振信号のパルス幅を制御可能なデューティ制御回路１３を設け、前記ＰＦＭコンパレータ１１の出力が所定のレベルの期間だけデューティ制御回路１３から出力されるパルス信号を駆動回路１５に供給してスイッチング素子の駆動信号を生成させるように構成したものである。
【０００５】
図１１のＬＥＤ駆動用電源装置は、ＬＥＤの駆動電流を外部からの電流制御信号（制御コード）ＣＣにより徐々に下げて行った場合に、図１２に示すように、スイッチング素子の駆動信号Ｓ１のパルス周期が次第に長くなって、周波数が人間の可聴域の上限である２０ｋＨｚ以下に下がったり、図１３に示すように、出力電圧Ｖoutの変動（いわゆるリップル）が大きくなるなど、機器の特性上好ましくない状況が発生することがあるという課題があることが明らかになった。
【０００６】
この発明は上記のような課題に着目してなされたもので、その目的とするところは、スイッチング素子の駆動信号の周波数が可聴域の上限以下に下がることがないとともに、出力電圧のリップルを小さくすることができるＬＥＤ駆動用電源装置および電源駆動用半導体集積回路を提供することにある。
【課題を解決するための手段】
【０００７】
本発明は、上記目的を達成するため、インダクタに間歇的に電流を流すスイッチング素子と、前記インダクタと出力端子との間に接続された整流素子と、前記スイッチング素子の駆動信号を生成する駆動回路と、出力電流に比例した電圧がフィードバックされその電圧に応じたパルス幅を有する信号を出力するＰＦＭコンパレータとを備えたスイッチングレギュレータ（ＬＥＤ駆動用電源装置）において、所定の周波数の発振信号のパルス幅を電流制御信号に応じて制御可能なデューティ制御回路を設け、前記ＰＦＭコンパレータの出力が所定のレベルの期間だけ前記デューティ制御回路から出力されるパルス信号を前記駆動回路に供給して前記スイッチング素子の駆動信号を生成させるように構成したものである。
【０００８】
より具体的には、インダクタに間歇的に電流を流すスイッチング素子と、前記インダクタと出力端子との間に接続された整流素子と、前記スイッチング素子の駆動信号を生成する駆動回路と、出力電流に比例した電圧がフィードバックされその電圧に応じたパルス幅を有する信号を出力するＰＦＭコンパレータとを備え、前記出力端子に接続されたＬＥＤユニットに駆動電流を流すＬＥＤ駆動用電源装置において、前記ＬＥＤユニットを流れた電流を引き込む可変電流源と、所定の周波数の発振信号のパルス幅を電流制御信号に応じて制御可能なデューティ制御回路と、を備え、前記可変電流源は前記電流制御信号に応じた電流を流すように構成され、前記デューティ制御回路は、前記電流制御信号が出力電流を少なく流すことを要求する場合には出力電流を多く流すことを要求する場合に比べて出力のパルス幅を狭くするように構成され、前記ＰＦＭコンパレータの出力が所定のレベルの期間だけ前記デューティ制御回路から出力されるパルス信号を前記駆動回路に供給して前記スイッチング素子の駆動信号を生成するように構成したものである。
【０００９】
上記のような構成によれば、出力電流が少なくなるとスイッチング素子のオン時間が短くなるため、出力電流が少なくなってもＰＦＭコンパレータの出力パルスの周期が極端に長くなることがなく、これにより駆動信号の周波数が人間の可聴域の上限以下に下がるのを回避するとともに、出力電圧のリップルを小さくすることができる。
【００１０】
ここで、望ましくは、前記デューティ制御回路は、電流制御信号に応じた電流を流すように構成された第２可変電流源と、該第２可変電流源と直列に接続された容量素子と、前記第２可変電流源と前記容量素子との結合ノードに接続されたディスチャージ用のスイッチと、前記結合ノードの電位と所定の参照電圧とを比較するコンパレータと、を備え、前記ディスチャージ用のスイッチは前記発振信号によってオン、オフ制御され、前記可第２変電流源は、前記電流制御信号が出力電流を少なく流すことを要求する場合には出力電流を多く流すことを要求する場合に比べて流す電流が多くなるように構成する。
【００１１】
あるいは、前記第２可変電流源の代わりに定電流源を用いるとともに、電流制御信号に応じた参照電圧を出力する可変電圧手段を設け、可変電圧手段は、前記電流制御信号が出力電流を少なく流すことを要求する場合には出力電流を多く流すことを要求する場合に比べて出力する電圧が低くなるように構成する。さらに、前記第２可変電流源の代わりに定電流源を、また容量素子の代わりに可変容量手段を用い、可変容量手段は、前記電流制御信号が出力電流を少なく流すことを要求する場合には出力電流を多く流すことを要求する場合に比べて容量値が小さくなるように構成しても良い。
【発明の効果】
【００１２】
本発明に従うと、スイッチング素子の駆動信号の周波数が可聴域の上限以下に下がることがないとともに、出力電圧のリップルを小さくすることができるＬＥＤ駆動用電源装置および電源駆動用半導体集積回路を実現できるという効果がある。
【発明を実施するための最良の形態】
【００１３】
以下、本発明の好適な実施の形態を図面に基づいて説明する。
【００１４】
図１は本発明を適用したＬＥＤ駆動用電源装置の一実施形態を示す。
【００１５】
本実施形態のＬＥＤ駆動用電源装置は、直流電圧端子ＶＤＤと接地点との間に直列形態に接続されたコイル（インダクタ）Ｌ１およびＮチャネルＭＯＳＦＥＴ（絶縁ゲート型電界効果トランジスタ）からなるスイッチングトランジスタＳＷ１、前記コイルＬ１と出力端子ＯＵＴとの間に接続されたダイオードＤ１、出力端子ＯＵＴと接地点との間に接続された平滑容量Ｃ１、スイッチングトランジスタＳＷ１をオン、オフ制御するスイッチング制御回路１０によって、昇圧型のスイッチングレギュレータとして構成されている。そして、出力端子ＯＵＴに、直列形態の複数の白色発光ダイオードＷＬＥＤからなるＬＥＤユニット３０が接続されている。
【００１６】
なお、特に限定されるものではないが、この実施形態では、上記スイッチング制御回路１０とスイッチングトランジスタＳＷ１とは一つの半導体チップ上に半導体集積回路（以下、駆動用ＩＣと称する）として形成され、コイルＬ１とダイオードＤ１および平滑容量Ｃ１は、ディスクリート部品で構成され上記駆動用ＩＣに外付け素子として接続されている。
【００１７】
スイッチング制御回路１０は、フィードバック信号参照電圧Ｖref1とを比較して電位差に応じたパルス幅（周波数可変）を有するパルス信号を生成するＰＦＭコンパレータ１１、所定の周波数の信号φoscを生成する発振回路１２、発振信号φoscに基いて所望のパルス幅の信号を生成するデューティ制御回路１３、ＰＦＭコンパレータ１１の出力の反転信号とデューティ制御回路１３の出力を入力とするＯＲゲート回路１４、ＯＲゲート回路１４の出力を受けてスイッチングトランジスタＳＷ１のオン、オフ駆動信号を生成する駆動回路１５などから構成されている。
【００１８】
また、駆動用ＩＣには、上記発光ダイオードＷＬＥＤのカソード側端子が接続されるフィードバック端子ＦＢＢＬが設けられているとともに、ＩＣ内部にはこのフィードバック端子ＦＢＢＬに接続された可変電流源２１が設けられ、発光ダイオードＷＬＥＤを流れた電流がＩＣ内の可変電流源２１に流されるように構成されている。そして、フィードバック端子ＦＢＢＬにはスイッチング制御回路１０を構成するＰＦＭコンパレータ１１の反転入力端子が接続されており、ＷＬＥＤの駆動電流を電圧に変換してＰＦＭコンパレータ１１に入力されるようになっている。
【００１９】
さらに、駆動用ＩＣには、外部のＣＰＵなどから供給される電流制御コードＣＣ（電流指令値）が入力される端子が設けられており、上記可変電流源２１はこの端子に供給される制御コードＣＣに応じた電流を流すように構成されている。この実施形態においては、上記制御コードＣＣがデューティ制御回路１３にも供給され、デューティ制御回路１３は可変電流源２１の電流値に応じて出力するパルスのパルス幅を変化させるように構成されている。具体的には、デューティ制御回路１３は、可変電流源２１の電流値が多いほど出力パルスのパルス幅を広くし、可変電流源２１の電流値が少ないほど出力パルスのパルス幅を狭くするように動作する。
【００２０】
これにより、電流指令値が小さくなってＷＬＥＤの駆動電流が減らされると、パルス幅が狭くなってスイッチングトランジスタＳＷ１のオン時間が短くなり、コイルＬ１に流れる一回の電流量が少なくなるため、電流指令値に応じたパルス幅制御をしない場合に比べてＰＦＭコンパレータ１１の出力の周期が長くならず、スイッチングトランジスタＳＷ１のオンパルスの周波数も下がらなくなる。
【００２１】
図２には、デューティ制御回路１３の具体的な回路例が示されている。この実施例のデューティ制御回路１３は、電源電圧端子ＶＤＤと接地点との間に直列に接続された可変電流源２２およびコンデンサＣ２と、コンデンサＣ２と並列に接続されたディスチャージ用のスイッチＭＯＳＦＥＴ  ＳＷ２と、可変電流源２２とコンデンサＣ２との接続ノードＮ２の電位Ｖ２と参照電圧Ｖref2とを比較するコンパレータＣＭＰ２とから構成されている。
【００２２】
上記スイッチＭＯＳＦＥＴ  ＳＷ２のゲート端子には、発振回路１２からの発振信号φoscが印加されており、φoscがロウレベルの期間はＳＷ２がオフされて、可変電流源２２の電流によりコンデンサＣ２が充電され、ノードＮ２の電位Ｖ２が次第に上昇し、φoscがハイレベルの期間はＳＷ２がオンされて、コンデンサＣ２の電荷が放電され、ノードＮ２の電位Ｖ２は鋸歯状に変化する。この波形と参照電圧Ｖref2とをコンパレータＣＭＰ２で比較することにより、図３に示すように、鋸歯波の傾きと参照電圧Ｖref2のレベルに応じた所望のパルス幅を有する矩形波が生成される。発振信号φoscには、例えば１ＭＨｚのような周波数の信号が使用される。
【００２３】
この実施例のデューティ制御回路１３においては、可変電流源２２の電流値が制御コードＣＣに応じて段階的に変化されることにより、図３に破線で示すように、鋸歯波の傾きが変化され、それに応じて出力矩形波のパルス幅が変化される。具体的には、可変電流源２２の電流値が大きくなるほど鋸歯波の傾きが大きくなり、矩形波のパルス幅は狭くされる。なお、制御コードＣＣに対する可変電流源２１の電流値と可変電流源２２の電流値の関係は逆であり、制御コードＣＣが可変電流源２１の電流値を多くすると可変電流源２２の電流値は少なくなるように構成されている。
【００２４】
次に、図１のＬＥＤ駆動用電源装置の動作を、図４および図５を用いて図１２及び図１３と比較しながら説明する。なお、図５は図４の一部区間を、または図１３は図１２の一部区間をそれぞれ時間方向に拡大して示したものである。
【００２５】
図１２（Ａ）に示すように、制御コードＣＣがＬＥＤの電流を下げる方向に切り替わると、図１１のような構成の電源装置にあっては、図１２（Ｃ）に示すように、ＰＦＭコンパレータ１１の出力は周期が次第に長くなってパルスの幅（ハイレベル期間）が広くなり、ロウレベルの期間だけＯＲゲート１４がデューティ制御回路１３のパルスを通過させるため、スイッチングトランジスタＳＷ１の駆動パルスは、図１２（Ｄ）に示すように、次第に間隔が広くなる。その結果、駆動パルスの周波数が人間の可聴域の上限である２０ｋＨｚ以下になるおそれがあるとともに、図１３（Ｅ）に示すように、出力電圧Ｖｏｕｔのリップルも大きくなる。
【００２６】
これに対し、図１の電源装置にあっては、制御コードＣＣがＬＥＤの電流を下げる方向に切り替わっても、図４（Ｃ）に示すように、ＰＦＭコンパレータ１１の出力の周期が長くなってパルスの幅（ハイレベル期間）が広くなるようなことがない。これは、電流指令値が小さくなると図４（Ｂ）のように、デューティ制御回路１３の出力パルスの幅が狭くなってスイッチングトランジスタＳＷ１のオン時間が短くなり、一回のオン駆動でコイルＬ１に流れる電流量が少なくなるためである。
【００２７】
そして、このように電流指令値が小さくなってもＰＦＭコンパレータ１１の出力の周期が長くならないと、図４（Ｄ）のように、スイッチングトランジスタＳＷ１の駆動パルスの間隔もそれほど広くなることがない。その結果、駆動パルスの周波数が人間の可聴域の上限である２０ｋＨｚ以下になることがないとともに、図５（Ｅ）に示すように、出力電圧Ｖｏｕｔのリップルも小さくなる。
【００２８】
図６および図８には、上記デューティ制御回路１３の他の構成例が示されている。
【００２９】
このうち図６のデューティ制御回路は、図２の回路における可変電流源２２の代わりに定電流源２３を用いるとともに、参照電圧Ｖref2の代わりに可変電圧回路２４を設けたものである。可変電圧回路２４は、例えば複数の抵抗が直列に接続されたラダー抵抗と、各抵抗と並列に設けられた複数のスイッチを有し、これらのスイッチを前記制御コードＣＣで選択的にオンまたはオフ状態にすることで参照電圧Ｖref2を適当な対向比で分圧した電圧を発生するように構成したものが考えられる。
【００３０】
この回路は、制御コードＣＣがＬＥＤの電流を下げる方向に切り替わると、コンパレータＣＭＰに供給される参照電圧Ｖref2が下がるように制御される。これにより、図７に破線で示すように、デューティ制御回路の出力パルスの幅が狭くなり、図１の実施形態の電源装置と同様な機能を有するようにされる。
【００３１】
一方、図８のデューティ制御回路は、図３の回路における可変電流源２２の代わりに定電流源２３を用いるとともに、コンデンサＣ２の代わりに可変容量２５を設けたものである。可変容量２５は、例えば複数の並列形態の容量素子と、各容量素子と直列に設けられた複数のスイッチを有し、これらのスイッチを前記制御コードＣＣで選択的にオンまたはオフ状態にすることでノードＮ２に接続される容量素子の数を切り替えて容量値を変化させるように構成したものが考えられる。
【００３２】
この回路は、制御コードＣＣがＬＥＤの電流を下げる方向に切り替わると、ノードＮ２に接続される容量素子の数が減り容量値が小さくなるように制御される。これにより、図９に破線で示すように、ノードＮ２の電位Ｖ２の傾きが急になってデューティ制御回路の出力パルスの幅が狭くなり、図１の実施形態の電源装置と同様な機能を有するようにされる。
【００３３】
図１０には、可変電流源２１の具体的な回路例を示す。この実施例の可変電流源２１は、定電流源Ｉ０およびこれと直列に接続された電流−電圧変換用のＭＯＳＦＥＴ  Ｑ０と、該ＭＯＳＦＥＴ  Ｑ０とカレントミラー接続されたｎ個のＭＯＳＦＥＴ  Ｑ１，Ｑ２……Ｑｎと、フィードバック端子ＦＢＢＬと接地点との間にＱ１〜Ｑｎとそれぞれ直列に接続されたｎ個のスイッチＭＯＳＦＥＴ  Ｑ１１〜Ｑ１ｎとからなり、Ｑ１〜ＱｎにはＱ０とのサイズ比に応じた電流が流れる。
【００３４】
そして、上記スイッチＭＯＳＦＥＴ  Ｑ１１〜Ｑ１ｎのゲート端子に制御コードＣＣの各ビット信号Ｂ１〜Ｂｎが印加され、Ｂ１〜ＢｎによってオンされるＭＯＳＦＥＴの数を変えることでトータルの電流が切り替わるように構成されている。Ｑ１〜ＱｎおよびＱ１１〜Ｑ１ｎはすべてＮチャネルＭＯＳＦＥＴである。図２のデューティ制御回路内の可変電流源２２は、図１０の回路と上下対称な構成を有し、Ｑ１〜ＱｎおよびＱ１１〜Ｑ１ｎとしてＰチャネルＭＯＳＦＥＴを使用し、Ｑ１〜Ｑｎのソースは接地点の代わりに電源電圧ＶＤＤに接続した回路とすることができる。
【００３５】
以上本発明者によってなされた発明を実施形態に基づき具体的に説明したが、本発明は上記実施形態に限定されるものではない。例えば、図１の電源装置においては、駆動用ＩＣ内に発振回路１２が設けられているが、チップ外部で生成された発振信号が入力されるように構成されていても良い。また、図１では、スイッチング素子ＳＷ１としてＭＯＳＦＥＴが使用されているが、バイポーラトランジスタを使用するようにしてもよい。
【００３６】
さらに、前記実施形態においては、スイッチングレギュレータを構成するスイッチングトランジスタＳＷ１をＩＣのチップ内に形成したものを示したが、このトランジスタには比較的大きな電流が流されるので、外付けの素子として接続するように構成しても良い。また、実施例の駆動用ＩＣには、外部から駆動電流の指令値を与える制御コードＣＣが入力されるように構成されているが、電流指令値を制御コードの代わりにアナログ信号で与えるように構成することも可能である。
【産業上の利用可能性】
【００３７】
以上の説明では、本発明をＬＥＤ駆動用電源装置に適用した例を説明したが、本発明にそれに限定されるものではなく、昇圧した電圧を発生し出力電流をフィードバック制御したい電源装置に広く利用することができる。
【図面の簡単な説明】
【００３８】
【図１】図１は、本発明を適用したＬＥＤ駆動用電源装置の一実施形態を示すブロック構成図である。
【図２】図２は、デューティ制御回路の具体例を示す回路図である。
【図３】図３は、図２のデューティ制御回路の動作を示すタイミングチャートである。
【図４】図４は、図１のＬＥＤ駆動用電源装置の動作を示すタイミングチャートである。
【図５】図５は、図４の一部区間を時間方向に拡大して示したタイミングチャートである。
【図６】図６は、デューティ制御回路の他の構成例を示す回路図である。
【図７】図７は、図６のデューティ制御回路の動作を示すタイミングチャートである。
【図８】図８は、デューティ制御回路のさらに他の構成例を示す回路図である。
【図９】図９は、図８のデューティ制御回路の動作を示すタイミングチャートである。
【図１０】図１０は、可変電流源の具体例を示す回路図である。
【図１１】図１１は、本発明に先立って検討したＬＥＤ駆動用電源装置の一例を示すブロック構成図である。
【図１２】図１２は、図１１のＬＥＤ駆動用電源装置の動作を示すタイミングチャートである。
【図１３】図１３は、図１２の一部区間を時間方向に拡大して示したタイミングチャートである。
【符号の説明】
【００３９】
１０  スイッチング制御回路
１１  ＰＦＭコンパレータ
１２  発振回路
１３  デューティ制御回路
１５  ドライブ回路
２１，２２  可変電流源
２３  定電流源
２４  可変電圧回路
２５  可変容量
３０  ＬＥＤユニット
Ｌ１  コイル（インダクタ）
Ｃ１  平滑容量
ＳＷ１  コイル駆動用スイッチングトランジスタ
【図１】
0005211699.tif 000002
【図２】
0005211699.tif 000003
【図３】
0005211699.tif 000004
【図４】
0005211699.tif 000005
【図５】
0005211699.tif 000006
【図６】
0005211699.tif 000007
【図７】
0005211699.tif 000008
【図８】
0005211699.tif 000009
【図９】
0005211699.tif 000010
【図１０】
0005211699.tif 000011
【図１１】
0005211699.tif 000012
【図１２】
0005211699.tif 000013
【図１３】
0005211699.tif 000014